(57)【要約】【課題】収容された薬液の変質を抑制するとともに、容器の損傷を抑制することができる薬液容器を提供する。【解決手段】薬液容器は、容器の内外を連通する筒状の口部が形成された容器本体と、容器本体の口部に基端側が嵌入された筒状のノズルと、を備え、ノズルは、硬質の樹脂によって形成された内筒と、内筒を形成する樹脂よりも軟質の樹脂によって形成された外筒とを有し、内筒は、基端において径方向外側に突出する環状部を含み、外筒は、環状部よりも先端側において内筒の外周に配置され、環状部は、外径が基端側から先端側に向けて漸次拡径した拡径部と、拡径部の頂部と、頂部を基点として外径が先端側に向けて縮径した縮径部とを含み、頂部は、口部の内周面と全周にわたって密着し、拡径部及び縮径部は、口部の内周面から離間している。【選択図】図４
2018008738.tif 000002
【特許請求の範囲】
【請求項１】
容器の内外を連通する筒状の口部が形成された容器本体と、
前記容器本体の前記口部に基端側が嵌入された筒状のノズルと、を備え、
前記ノズルは、硬質の樹脂によって形成された内筒と、前記内筒を形成する樹脂よりも軟質の樹脂によって形成された外筒とを有し、
前記内筒は、基端において径方向外側に突出する環状部を含み、
前記外筒は、前記環状部よりも先端側において前記内筒の外周に配置され、
前記環状部は、外径が基端側から先端側に向けて漸次拡径した拡径部と、前記拡径部の頂部と、前記頂部を基点として外径が先端側に向けて縮径した縮径部とを含み、
前記頂部は、前記口部の内周面と全周にわたって密着し、
前記拡径部及び前記縮径部は、前記口部の内周面から離間している、薬液容器。
【請求項２】
前記ノズルは、中心軸からの距離が前記頂部と等しいガイド部を有し、
前記ガイド部は、前記縮径部よりも先端側に位置し、
前記頂部から前記ガイド部までの区間では、前記ノズルの外周面は前記口部の内周面から離間している、請求項１に記載の薬液容器。
【請求項３】
前記外筒は、径方向外側に突出した環状の第１フィン部及び第２フィン部を有し、
前記第１フィン部は、前記ガイド部よりも先端側に位置し、
前記第２フィン部は、前記第１フィン部よりも先端側に位置し、
前記第１フィン部及び前記第２フィン部は、前記口部の内周面全周にわたって密着しており、
前記第１フィン部から前記第２フィン部までの区間では、前記外筒の外周面は前記口部の内周面から離間している、請求項２に記載の薬液容器。
【請求項４】
前記外筒を構成する軟質の樹脂には、機能性添加剤が含有されている、請求項１〜３のいずれか一項に記載の薬液容器。
【発明の詳細な説明】
【技術分野】
【０００１】
本発明は、薬液容器に関する。
【背景技術】
【０００２】
従来、薬液を収容する容器本体と、容器本体に設けられるノズルとを備えた薬液容器が知られている。このような薬液容器では、ポリエチレンのような軟質の樹脂によってノズルが形成される場合がある。この場合、薬液に含まれる成分がノズルを形成する樹脂に吸着されることで、薬液が変質する虞がある。そこで、薬液の変質を抑制するために、二重構造のノズルを備えた薬液容器が提案されている。例えば特許文献１に開示されている薬液容器は、硬質合成樹脂製の内筒と軟質合成樹脂製の外筒とからなるノズルを有している。内筒の下部には、容器本体の口部に嵌合する鍔部が形成されている。また、外筒の内側には、内筒における鍔部の上部側が配置されている。そして、内筒と外筒とを上下に貫通する注出孔が形成されている。
【先行技術文献】
【特許文献】
【０００３】
【特許文献１】特開平５−１２４６６３公報
【発明の概要】
【発明が解決しようとする課題】
【０００４】
しかしながら、特許文献１に記載された薬液容器では、内筒における鍔部外周、及び、鍔部の上部側に配置された外筒の外周が、容器本体の口部の内周面に沿った面状に形成されている。そのため、内筒及び外筒が口部に圧入された状態では、面状に形成された内筒及び外筒と口部とが面接触する。この場合、口部に過度に外力が加わることによって、口部が損傷する虞がある。
【０００５】
本発明の一側面は、収容された薬液の変質を抑制するとともに、容器の損傷を抑制することができる薬液容器を提供することを目的とする。
【課題を解決するための手段】
【０００６】
一側面の薬液容器は、容器の内外を連通する筒状の口部が形成された容器本体と、容器本体の口部に基端側が嵌入された筒状のノズルと、を備え、ノズルは、硬質の樹脂によって形成された内筒と、内筒を形成する樹脂よりも軟質の樹脂によって形成された外筒とを有し、内筒は、基端において径方向外側に突出する環状部を含み、外筒は、環状部よりも先端側において内筒の外周に配置され、環状部は、外径が基端側から先端側に向けて漸次拡径した拡径部と、拡径部の頂部と、頂部を基点として外径が先端側に向けて縮径した縮径部とを含み、頂部は、口部の内周面と全周にわたって密着し、拡径部及び縮径部は、口部の内周面から離間している。
【０００７】
上記の薬液容器では、内筒と外筒とによって形成されたノズルが、容器本体に形成された口部の内側に嵌入されている。このノズルでは、外筒が内筒の環状部よりも先端側に配置されている。そのため、ノズルの基端側は、外筒から露出した内筒の環状部によって構成される。口部にノズルが嵌入されている状態では、口部の内周面に環状部の頂部が密着しているので、容器本体に収容された薬液が外筒に接触することが抑制される。また、頂部が内周面に密着した状態では、拡径部及び縮径部が口部の内周面から離間している。すなわち、環状部の頂部は、口部の内周面に対して線接触的に密着している。そのため、ノズルが口部の内周面に面接触して押し広げてしまう場合に比べて、口部に加わるノズルからの外力を小さくすることができる。したがって、収容された薬液の変質を抑制するとともに、容器の損傷を抑制することができる。
【０００８】
また、一側面においては、ノズルは、中心軸からの距離が頂部と等しいガイド部を有し、ガイド部は、縮径部よりも先端側に位置し、頂部からガイド部までの区間では、ノズルの外周面は口部の内周面から離間している。この構成によれば、頂部及びガイド部が口部の内周面に密着した状態における、ノズルのぐらつきを抑制することができる。そのため、口部に対してノズルが傾いて嵌入されることが抑制される。なお、中心軸からの距離が等しいとは、厳密に中心軸からの距離が等しい場合だけでなく、機能上等しいと見做せる程度の誤差を含む。
【０００９】
また、一側面においては、外筒は、径方向外側に突出した環状の第１フィン部及び第２フィン部を有し、第１フィン部は、ガイド部よりも先端側に位置し、第２フィン部は、第１フィン部よりも先端側に位置し、第１フィン部及び第２フィン部は、口部の内周面全周にわたって密着しており、第１フィン部から第２フィン部までの区間では、外筒の外周面は口部の内周面から離間している。この構成によれば、第１フィン部と第２フィン部との間に空気溜りが形成される。これにより、空気溜りの空気圧の作用によって、外筒と口部との間からの液漏れを一層抑制することができる。また、ガイド部よりも先端側に各フィン部が設けられているので、フィン部が傾いて嵌入されることが抑制される。
【００１０】
また、一側面においては、外筒を構成する軟質の樹脂には、機能性添加剤が含有されている。この場合、ノズルの外周に対して任意の機能を付与することができる。また、添加剤が薬液中に溶出する虞がない。
【発明の効果】
【００１１】
一側面の薬液容器によれば、収容された薬液の変質を抑制するとともに、容器の損傷を抑制することができる。
【図面の簡単な説明】
【００１２】
【図１】一実施形態に係る薬液容器の正面図である。
【図２】薬液容器の縦断面図である。
【図３】ノズルを示す図であり、（ａ）は正面図であり、（ｂ）は縦断面図である。
【図４】図２の部分拡大図である。
【発明を実施するための形態】
【００１３】
以下、本発明に係る実施の形態について図面を参照しながら具体的に説明する。便宜上、実質的に同一の要素には同一の符号を付し、その説明を省略する場合がある。また、以下の説明において、「同じ」、「等しい」などの用語は、製造上の誤差等を考慮したものであり、厳密に同じ又は等しい場合だけでなく、機能上同じ又は等しいと見做せる程度の誤差を含む概念である。なお、本発明は、容器本体の口部に嵌入されるノズルを備えた薬液容器に広く適用可能であるが、ここでは薬液容器として点眼容器の一例について説明する。
【００１４】
図１は、一形態に係る点眼容器を示す正面図である。また、図２は、点眼容器を示す縦断面図である。図３はノズルを示す図であり、図３の（ａ）はノズルを単体で示す正面図であり、図３の（ｂ）はノズルを単体で示す縦断面図である。また、図４は、図２の部分拡大図である。点眼容器１は、容器本体１０と、ノズル２０と、キャップ４０とを備えている。なお、図１では容器本体１０及びノズル２０と、キャップ４０とが互いに分離している状態を示し、図２では容器本体１０及びノズル２０にキャップ４０が取り付けられた状態を示している。
【００１５】
図１及び図２に示されるように、容器本体１０は、薬液が収容される収容部１１と、収容部１１に形成された口部１３とを有する。収容部１１は、周壁１１ａによって囲まれた内部空間Ｓを有している。本実施形態では、収容部１１は、正面視において角がＲ面取りされた略二等辺三角形状をなしている。また、収容部１１は、図１の紙面に垂直な方向に扁平な形状となっている。
【００１６】
口部１３は、正面視において、収容部１１の斜辺に相当する位置に形成されている。この斜辺に相当する位置には、緩やかな傾斜を有する傾斜面１２が形成されている。また、口部１３は、収容部１１の内外を連通している。口部１３は、断面円形の内周面１３ａを有する略円筒状をなしており、収容部１１から突出している。口部１３の外周面には係止突起１５が形成されている。係止突起１５は、軸方向Ｌの一部において周方向の全周にわたって突出して形状を有している。すなわち、係止突起１５は、円環状をなしている。容器本体１０は、例えば、ダイレクトブロー、インジェクションブロー等のブロー成形によって一体的に形成されている。容器本体の材料としては、例えば、ポリエチレンテレフタレート（ＰＥＴ）等の硬質の樹脂が挙げられる。
【００１７】
キャップ４０は、正面視において頂角部分がＲ面取りされた略二等辺三角形状をなしており、斜辺側が開口したカップ状をなしている。また、収容部１１と同様に、キャップ４０は、図１の紙面に垂直な方向に扁平な形状となっている。キャップ４０の内側には、一対の係止アーム４３が形成されている。一対の係止アーム４３は、頂角部分を挟んだ位置に配置されている。係止アーム４３の先端には、係止突起１５と係合可能な爪部４３ａが形成されている。一対の係止アーム４３間、すなわち、キャップ４０の内側における頂角の位置には、突起部４５が形成されている。突起部４５は、基端側の外径がノズル２０の内径よりも大きく、且つ、先端側の外径がノズル２０の内径よりも小さい円錐台形状をなす筒状となっている。突起部４５は、ノズル２０の先端２０ａを液密にシールし得る。キャップは、例えばポリプロピレン（ＰＰ）等の材料によって一体的に形成されている。
【００１８】
本実施形態では、キャップ４０は、いわゆるツイストキャップである。すなわち、例えば、一対の係止アーム４３間に口部１３の先端側が配置された状態で、キャップ４０を容器本体１０側に押圧することによって、キャップ４０を容器本体１０に取り付けることができる。また、軸Ｌを中心にキャップ４０を回転させることによって、キャップ４０を容器本体１０から取り外すことができる。
【００１９】
ノズル２０は、略円筒状をなしており、その先端が外部に露出するように容器本体１０の口部１３に嵌入されている。ノズル２０は、硬質の樹脂によって形成された内筒２１と、内筒２１を形成する樹脂よりも軟質の樹脂によって形成された外筒３１とを有している。内筒２１を形成する樹脂としては、例えばポリブチレンテレフタレート（ＰＢＴ）、ポリエチレンテレフタレート（ＰＥＴ）、ポリエチレンナフタレート(ＰＥＮ)等が挙げられる。また、外筒３１を形成する樹脂としては、例えばポリエチレン（ＰＥ）、ポリプロピレン（ＰＰ）等が挙げられる。また、外筒３１は、例えばエラストマーによって形成されてもよい。ノズル２０は例えば二色成形によって製造することができる。
【００２０】
図３に示されるように、内筒２１は略円筒状をなしている。内筒２１の基端には、径方向の外側に突出する環状部２２が形成されている。環状部２２の外周面は、拡径部２２ａと、頂部２２ｂと、縮径部２２ｃと、平坦部２２ｄとを有している。拡径部２２ａは、軸方向Ｌにおいて環状部２２の基端から先端に向かって形成されている。拡径部２２ａでは、基端側から先端側に向けて外径が漸次拡径している。頂部２２ｂは、拡径部２２ａの最も先端側であり、環状部２２のなかで最大の外径を有する。本実施形態では、頂部２２ｂはエッジ状に形成されている。頂部２２ｂは、口部１３の内周面１３ａに全周にわたって密着できるように、口部１３の内径と同じ外径を有している。
【００２１】
縮径部２２ｃは、頂部２２ｂの先端側に形成されている。縮径部２２ｃでは、頂部２２ｂを基点として外径が先端側に向けて縮径している。縮径部２２ｃの先端の外径は、拡径部２２ａの基端の外径と同じとなっている。平坦部２２ｄは、縮径部２２ｃの先端を起点として先端側に形成されている。平坦部２２ｄの外径は、縮径部２２ｃの先端と同じとなっており、軸方向Ｌで一定となっている。軸方向Ｌにおいて、縮径部２２ｃが形成されている区間は、拡径部２２ａが形成されている区間よりも短くなっている。そのため、縮径部２２ｃの勾配は、拡径部２２ａの勾配に比べて大きくなっている。
【００２２】
また、内筒２１の基端には、径方向の内側に延在する底壁２５が形成されている。底壁２５の径方向の中心には、底壁２５を軸方向Ｌに貫通する貫通孔２５ａが形成されている。内筒２１における軸方向Ｌの中央よりも先端側には、径方向の外側に突出する抜け止め部２７が形成されている。抜け止め部２７は、内筒２１が外筒３１から抜け落ちることを防止している。
【００２３】
外筒３１は、略円筒状をなし、環状部２２よりも軸方向Ｌの先端側において内筒２１の外周に配置されている。すなわち、内筒２１の環状部２２よりも先端側の外周面は、外筒３１によって被覆されている。外筒３１の外周面には、基端側から順番に、ガイド部３３、第１フィン部３５、第２フィン部３６及び鍔部３７が形成されている。外筒３１の基端は、内筒２１に形成された環状部２２の平坦部２２ｄに連続している。すなわち、外筒３１の基端の外周面は、平坦部２２ｄと同じ外径を有する平坦部３２ａとなっている。
【００２４】
ガイド部３３は、軸方向Ｌにおいて平坦部３２ａの先端に形成されている。ガイド部３３は、外筒３１の外周面から径方向の外側に向かって突出しており、周方向の全周にわたって環状に形成されている。本実施形態では、ガイド部３３は、断面視において径方向の外側に突出するように湾曲している。ガイド部３３の最大外径は、環状部２２の頂部２２ｂの外径と同じとなっている。換言すると、ガイド部３３では、中心軸Ｌからの距離が頂部２２ｂと等しくなっている。すなわち、ガイド部３３の最大外径は、口部１３の内径と同じとなっている。
【００２５】
第１フィン部３５は、外筒３１の外周面においてガイド部３３が形成された位置から先端側に離間した位置に形成されている。外筒３１の外周面におけるガイド部３３と第１フィン部３５との間は、平坦部３２ｂとなっている。平坦部３２ｂの外径は、例えば平坦部３２ａよりも小さくてもよい。第１フィン部３５は、外筒３１の外周面から径方向の外側に向かって突出しており、周方向の全周にわたって環状に形成されている。本実施形態では、第１フィン部３５は、軸方向Ｌに板厚を有する円環板状に形成されている。第１フィン部３５の外径は、頂部２２ｂ及びガイド部３３の外径よりも大きくなっている。
【００２６】
第２フィン部３６は、外筒３１の外周面において第１フィン部３５が形成された位置から先端側に離間した位置に形成されている。外筒３１の外周面における第１フィン部３５と第２フィン部３６との間は、平坦部３２ｃとなっている。平坦部３２ｃの外径は、例えば平坦部３２ｂの外径と同じであってよい。第２フィン部３６は、外筒３１の外周面から径方向の外側に向かって突出しており、周方向の全周にわたって環状に形成されている。本実施形態では、第２フィン部３６は、軸方向Ｌに板厚を有する円環板状に形成されている。第２フィン部３６の外径は、頂部２２ｂ及びガイド部３３の外径よりも大きくなっており、第１フィン部３５の外径と同じである。
【００２７】
軸方向Ｌにおいて第２フィン部３６の先端側には、外径が一定の平坦部３２ｄ、外径が一定の平坦部３２ｅ、及び、鍔部３７が順次形成されている。平坦部３２ｄの外径は、例えば平坦部３２ｃの外径と同じであってよい。平坦部３２ｅの外径は、ガイド部３３及び頂部２２ｂの外径と同じとなっている。すなわち、平坦部３２ｅは、口部１３の内径と同じ外径を有している。鍔部３７は、外筒３１の外周面から径方向の外側に突出しており、口部１３の内径よりも大きな外径を有している。
【００２８】
外筒３１において鍔部３７よりも軸方向Ｌの先端側は、口部１３の外側に露出する露出部３１ａとなっている。露出部３１ａは、鍔部３７から先端に向かって外径が漸次縮径する首部３８と、首部３８の先端に形成される頭部３９とを有している。頭部３９の基端は首部３８の先端から径方向の外側に突出している。そのため、首部３８と頭部３９との境界部分には、くびれが形成されている。頭部３９は、先端に向かって漸次縮径しており、外方に向かって凸状の湾曲面３９ａを有している。本実施形態では、首部３８の縮径における軸Ｌに対する勾配に比べて、頭部３９の基端３９ｂが外側に拡径する勾配が大きくなっている。ノズル２０から注出された薬液は、ノズル２０の角度に応じて湾曲面３９ａで液滴を形成し、滴下される。この場合、首部３８と頭部３９との境界部分のくびれによって、液滴が首部３８側に伝うことが抑制されている。これにより、例えば鉛直方向と軸方向Ｌとのなす角度を９０°傾けた状態でも滴下することが可能になっている。また、鉛直方向と軸方向Ｌとのなす角度が０°〜９０°の範囲で、滴下前の液滴と湾曲面３９ａとの接触面積が一定に保持されるので、液滴の大きさが一定に保たれやすくなっている。
【００２９】
外筒３１を構成する樹脂には、着色剤、撥水剤、抗菌剤及び離型剤の少なくとも一つ以上を含む機能性添加剤が含有されていてもよい。着色剤としては、例えば無機顔料、有機顔料、染料等が挙げられる。撥水剤としては、例えばオレフィン・シリコーン共重合体等が挙げられる。抗菌剤としては、例えば金属イオン（銀、銅、亜鉛等）、金属酸化物、金属単体等の無機系抗菌剤、有機ヨード系、ベンツイミダゾール系、イソチアゾリン系、ニトリル系、ピリジン系、トリアジン系、Ｎ−ハロアルキルチオ系、ピリチオン系、有機銅系、有機ヒ素系等の有機系抗菌・防かび剤等が挙げられる。離型剤としては、例えば炭化水素、金属せっけん、アミド、エステル等が挙げられる。なお、本明細書において、離型剤は滑沢剤を包含する概念である。また、樹脂に対する機能性添加剤の含有量は、例えば０．０５〜２０重量％である。
【００３０】
図４に示されるように、ノズル２０が口部１３に嵌入された状態では、ノズル２０の外筒３１に形成された鍔部３７が口部１３の先端に当接している。また、口部１３の内径と同じ外径を有する頂部２２ｂ、ガイド部３３及び平坦部３２ｅは、口部１３の内周面１３ａと全周にわたって密着している。また、第１フィン部３５及び第２フィン部３６は、口部１３の内周面１３ａの全周にわたって密着している。第１フィン部３５及び第２フィン部３６は、口部１３の内径よりも大きな外径を有するため、ノズル２０の軸方向Ｌの先端側に撓むように変形している。第１フィン部３５及び第２フィン部３６は比較的軟質の樹脂によって形成されているので、撓みによって破損することが抑制されている。
【００３１】
一方で、ノズル２０の軸方向Ｌの基端から頂部２２ｂまでの区間である拡径部２２ａは、口部１３の内周面１３ａから離間している。また、頂部２２ｂからガイド部３３までの区間である平坦部２２ｄ及び平坦部３２ａも口部１３の内周面１３ａから離間している。同様に、平坦部３２ｂ，３２ｃ，３２ｄも内周面１３ａから離間している。平坦部２２ｄ，３２ａが面する空間、平坦部３２ｂが面する空間、平坦部３２ｃが面する空間、及び、平坦部３２ｄが面する空間は、それぞれ気密性を有する空気溜りを形成している。
【００３２】
以上説明した点眼容器１では、内筒２１と外筒３１とによって形成されたノズル２０が、容器本体１０に形成された口部１３の内側に嵌入されている。このノズル２０では、外筒３１が内筒２１の環状部２２よりも先端側に配置されている。そのため、ノズル２０の基端側は、外筒３１から露出した内筒２１の環状部２２によって構成される。口部１３にノズル２０が嵌入されている状態では、口部１３の内周面１３ａに環状部２２の頂部２２ｂが密着しているので、容器本体１０に収容された薬液が外筒３１に接触することが抑制される。また、頂部２２ｂが口部１３の内周面１３ａに密着した状態では、拡径部２２ａ及び縮径部２２ｃが内周面１３ａから離間している。すなわち、環状部２２の頂部２２ｂは、内周面１３ａに対して線接触的に密着している。そのため、ノズルが内周面１３ａに面接触で密着する場合に比べて、口部１３に加わるノズルからの外力を小さくすることができる。したがって、収容された薬液の変質を抑制するとともに、容器本体１０の損傷を抑制することができる。
【００３３】
また、容器本体１０が、例えばダイレクトブロー成形によって製造される場合には、口部１３の内周面１３ａが平滑に形成されないことがある。この場合、従来技術のように、口部の内周面に対してノズルの外周を面接触で密着させようとしても、口部の内周面とノズルの外周面との間に僅かな隙間が形成され、気密性を保持できない虞がある。上記の点眼容器１では、内周面１３ａが平滑に形成されない場合であっても、頂部２２ｂが僅かに変形することによって、口部１３の内周面１３ａに対して線接触的に密着することができる。
【００３４】
また、ガイド部３３は、縮径部２２ｃよりも先端側に位置し、頂部２２ｂからガイド部３３までの区間では、ノズル２０の外周面は口部１３の内周面１３ａから離間している。ノズル２０は、口部１３に対して基端側から嵌入される。この場合、ノズル２０が口部１３の内側に押圧されることによって、ノズル２０の環状部２２が口部１３に嵌入される。そして、さらにノズル２０が軸方向の基端側に押圧されると、ガイド部３３が口部１３に嵌入される。この状態では、環状部２２の頂部２２ｂとガイド部３３とが口部１３の内周面１３ａに密着した状態となっている。軸方向に互いに離間した頂部２２ｂとガイド部３３とが内周面１３ａに密着することによって、ノズル２０のぐらつきを抑制することができる。そのため、口部１３に対してノズル２０が傾いて嵌入されることが抑制される。故に、ガイド部３３よりも軸方向の先端側に設けられた第１フィン部３５及び第２フィン部３６が傾いて口部１３に嵌入されることが抑制される。
【００３５】
また、第１フィン部３５と第２フィン部３６との間に空気溜りが形成されている。これにより、空気溜りの空気圧の作用によって、外筒３１と内周面１３ａとの間からの液漏れを一層抑制することができる。また、図４に示されるように、口部１３にノズル２０が嵌入された状態では、第１フィン部３５及び第２フィン部３６は、軸方向Ｌの先端側に撓むように変形している。そのため、ノズル２０を引く抜く方向に外力が加わったとしても、第１フィン部３５及び第２フィン部３６が抵抗となることによって、ノズル２０が抜け難くなる。
【００３６】
また、外筒３１を構成する樹脂に機能性添加剤が含有されている場合、ノズル２０の外周に対して任意の機能を付与することができる。また、容器本体１０に収容された薬液が外筒３１に接触することが抑制されているので、添加剤が薬液中に溶出する虞がない。なお、本実施形態では、機能性添加剤は、着色剤、撥水剤、抗菌剤、離型剤のうちの少なくとも一つを含んでいる。この場合、ノズル２０に対して色彩、撥水性、抗菌性、及び、製造時における離型性のうち少なくとも一つを付与することができる。すなわち、外筒３１を構成する樹脂に着色剤が含有されている場合、ノズル２０に所望の色彩を施すことができる。この場合、使用者はノズルを視認しやすくなるため、点眼を容易に行うことができる。また、薬液の成分が結晶化してノズルに付着した際に、結晶を視認しやすく、結晶を容易に除去することができる。また、外筒３１を構成する樹脂に撥水剤が含有されている場合、ノズル２０に撥水性を付与することができる。この場合、ノズル２０から薬液が滴下され易く、点眼を容易に行うことができる。また、外筒３１を構成する樹脂に抗菌剤が含有されている場合、ノズル２０に抗菌性を付与することができる。この場合、ノズル２０の表面における細菌の増殖を抑制することができる。また、外筒３１を構成する樹脂に離型剤が含有されている場合、ノズル２０に離型性を付与することができる。この場合、製造時において金型から容易にノズル２０を分離することができる。
【００３７】
以上、本発明の実施の形態について図面を参照して詳述したが、具体的な構成はこの実施形態に限られるものではない。
【００３８】
例えば、ノズル２０が略円筒状をなす例を示したが、これに限定されない。ノズルは、容器本体に形成された口部に嵌入できればよい。すなわち、ノズルの形状は、口部の内周の形状に合わせて設計されていればよい。例えば、口部が楕円筒形状である場合には、ノズルの形状は楕円筒形状であってよい。
【００３９】
また、ガイド部３３が外筒３１に形成されている例を示したが、これに限定されない。例えば、ガイド部は内筒に形成されていてもよい。この場合、例えば、内筒２１と外筒３１との境界は、ガイド部３３と第１フィン部３５との間の平坦部３２ｂの位置であってもよい。
【００４０】
また、縮径部２２ｃが、軸方向Ｌにおける所定の区間にわたって形成されている例を示したが、これに限定されない。縮径部は頂部２２ｂと平坦部２２ｄとを接続する部分であり、例えば、縮径部は軸方向Ｌに垂直な平面によって形成されてもよい。この場合、頂部と、縮径部と、平坦部の起点との軸方向Ｌにおける位置が一致する。
【００４１】
また、環状に形成されたガイド部３３が、口部１３の内周面１３ａと全周にわたって密着している例を示したが、これに限定されない。例えば、環状に形成されたガイド部が、口部１３の内周面１３ａに対して一部で接触していなくてもよい。また、ガイド部は必ずしも環状に形成されている必要はなく、例えば、外筒３１の外周面から径方向の外側に向かって突出する複数の突起によって形成されていてもよい。
【００４２】
また、第１フィン部３５及び第２フィン部３６の２つのフィン部によって空気溜りを形成する例を示したが、フィン部は３つ以上形成されてもよい。
【符号の説明】
【００４３】
１…点眼容器、１０…容器本体、１３…口部、１３ａ…内周面、２０…ノズル、２１…内筒、２２…環状部、２２ａ…拡径部、２２ｂ…頂部、２２ｃ…縮径部、３１…外筒、３３…ガイド部、３５…第１フィン部、３６…第２フィン部。
【図１】
2018008738.tif 000003
【図２】
2018008738.tif 000004
【図３】
2018008738.tif 000005
【図４】
2018008738.tif 000006